(57)【要約】      （修正有）【課題】新たな外観形状を与える装飾部材を作業員一己で取付けることが可能な自動販売機を提供する。【解決手段】装飾ユニット９を外扉１の上部に載置した状態で前記装飾ユニット９と外扉１とに跨る取付金具２０を備え、前記装飾ユニット９を前傾姿勢に傾倒させた状態で退避位置に位置させた取付金具２０が前記装飾ユニット９を前傾姿勢から起立姿勢に移動させる過程で自重により進出位置に移動する態様で装飾ユニット９に係止し、前記装飾ユニット９を外扉１の上部に載置する際、装飾ユニット９を前傾姿勢に傾倒させた状態で取付金具２０を退避位置に移動させた上で、当該装飾ユニット９を前傾姿勢から起立姿勢に移動させると取付金具２０が外扉１に跨るように自動的に進出位置に移動して前記装飾ユニット９の前方側への移動を阻止（仮止め）する。【選択図】図７
2012160037.tif 000002
【特許請求の範囲】
【請求項１】
本体キャビネットの前面を開閉する片開き式の外扉を備えた自動販売機であって、正面視矩形状の自動販売機に対して新たな外観を与える意匠が施された装飾ユニットを前記外扉の上部に着脱自在に取付けてなる自動販売機において、前記装飾ユニットは少なくとも前記外扉の前面に位置して商品展示室にまで延在する装飾部材を備え、前記外扉の背面側であって前記装飾ユニットを外扉の上部に載置した状態で前記装飾ユニットと外扉とに跨る取付金具を備え、当該取付金具は前記装飾ユニットに退避した退避位置と前記装飾ユニットから進出する進出位置との間を移動自在であって、前記装飾ユニットを前傾姿勢に傾倒させた状態で退避位置に位置させた取付金具が、前記装飾ユニットを前傾姿勢から起立姿勢に移動させる過程で自重により進出位置に移動する態様で装飾ユニットに係止され、前記装飾ユニットを外扉の上部に載置する際、装飾ユニットを前傾姿勢に傾倒させた状態で取付金具を退避位置に移動させた上で、当該装飾ユニットを前傾姿勢から起立姿勢に移動させることにより取付金具が自重により進出位置に移動して装飾ユニットと外扉とに跨るようにしたことを特徴とする自動販売機。
【発明の詳細な説明】
【技術分野】
【０００１】
本発明は、自動販売機の上部に装飾ユニットを追加装備してその外観形状を変更可能な自動販売機に関する。
【背景技術】
【０００２】
この種の自動販売機として缶入り飲料，ペットボトル入り飲料等の商品を販売する一般的な自動販売機は断熱筐体としてなる本体キャビネットの前面に片開き式の外扉が設けられ、当該外扉には額縁状の窓を形成して商品展示室が形成されている。この商品展示室の前面は透明パネルで覆われて商品展示室に展示された複数の商品見本を外部から視認できるようにされている。このような自動販売機においては商品展示室を有する外扉の表面部分が自動販売機自身の存在感や宣伝効果に大きな役割を果たしている。このため、外扉における商品展示室の形状や外扉の表面に飲料容器を描くなどのデザインを施して他の自動販売機に対して際立つように工夫されている。しかしながら、普く設置された自動販売機から分かるように、その外郭は四角柱状の角張った箱型をなしているのが一般的であり、外観上の差異はない。そこで、標準的な四角柱状の自動販売機に対して差別化を図るために外扉の上部をアーチ形に形成したものが知られている（例えば、特許文献１）。
【先行技術文献】
【特許文献】
【０００３】
【特許文献１】特開平５−３２５００３号公報
【発明の概要】
【発明が解決しようとする課題】
【０００４】
上記特許文献１に開示された自動販売機は外扉の上部をアーチ形に形成することにより自動販売機に新たな外観形状を与えることができる点で優れている。ところで、標準的な自動販売機の外郭を四角柱状の角張った箱型となしているのは、運搬時や倉庫への保管時に自動販売機を積み重ねることができるようにして運搬効率や保管スペース効率の向上を図るためである。したがって、上記特許文献１に記載された自動販売機のように外扉の上部をアーチ形に形成した場合、アーチ形の高さ寸法が大きい場合には積み重ねることができなくなり、アーチ形を残しつつ積み重ねを可能とするためにはアーチ形の高さ寸法を小さくせねばならず標準的な自動販売機の外観に近似してしまうという課題を有する。そこで、四角柱状の角張った箱型の自動販売機に新たな外観形状を与えるための装飾部材を標準的な自動販売機の付属部品として追加装備することができるように構成し、前記装飾部材を標準的な自動販売機に着脱自在とすることが考えられる。このように、装飾部材を着脱自在とすると、運搬効率や保管スペース効率を損なうことなく、現地において標準的な自動販売機に装着することができ、既設の自動販売機にも適用することができる。しかるに、自動販売機の外観形状を変える場合には、特許文献１にも示されるように、自動販売機のフェースである外扉に新たな外観形状を与えるのが通例である。このため、追加装備される装飾部材を自動販売機の外扉上部に装着しようとした場合、装飾部材を外扉上部に載置した状態で放置すると脱落してしまうおそれがあるので、装飾部材を外扉上部に載置した状態に保持しつつ固定（ねじ締結）せねばならない。このように、装飾部材を外扉上部に載置した状態に保持しつつ固定（ねじ締結）する作業を一人で行おうとすると一方の手で装飾部材を保持し、他方の手でねじ締結せねばならないので極めて困難であり、少なくとも二人の作業員による二人三脚の作業が必要となる。すなわち、一人が外扉上部に載置した装飾部材を保持した状態で他の一人が装飾部材を外扉にねじ締結する必要がある。このため、装飾部材を追加装備する際に少なくとも二人の作業員が現地に出向かねばならず非効率的であるという課題を有する。
【０００５】
そこで、本発明は上記の点に鑑みなされたものであり、その目的は前記課題を解決し、新たな外観形状を与える装飾部材を作業員一己で取付けることが可能な自動販売機を提供することにある。
【課題を解決するための手段】
【０００６】
上記目的を達成するために請求項１に係る発明は、本体キャビネットの前面を開閉する片開き式の外扉を備えた自動販売機であって、正面視矩形状の自動販売機に対して新たな外観を与える意匠が施された装飾ユニットを前記外扉の上部に着脱自在に取付けてなる自動販売機において、前記装飾ユニットは少なくとも前記外扉の前面に位置して商品展示室にまで延在する装飾部材を備え、前記外扉の背面側であって前記装飾ユニットを外扉の上部に載置した状態で前記装飾ユニットと外扉とに跨る取付金具を備え、当該取付金具は前記装飾ユニットに退避した退避位置と前記装飾ユニットから進出する進出位置との間を移動自在であって、前記装飾ユニットを前傾姿勢に傾倒させた状態で退避位置に位置させた取付金具が、前記装飾ユニットを前傾姿勢から起立姿勢に移動させる過程で自重により進出位置に移動する態様で装飾ユニットに係止され、前記装飾ユニットを外扉の上部に載置する際、装飾ユニットを前傾姿勢に傾倒させた状態で取付金具を退避位置に移動させた上で、当該装飾ユニットを前傾姿勢から起立姿勢に移動させることにより取付金具が自重により進出位置に移動して装飾ユニットと外扉とに跨るようにしたことを特徴とする。
【発明の効果】
【０００７】
本発明の請求項１に係る発明は、本体キャビネットの前面を開閉する片開き式の外扉を備えた自動販売機であって、正面視矩形状の自動販売機に対して新たな外観を与える意匠が施された装飾ユニットを前記外扉の上部に着脱自在に取付けてなる自動販売機において、前記装飾ユニットは少なくとも前記外扉の前面に位置して商品展示室にまで延在する装飾部材を備え、前記外扉の背面側であって前記装飾ユニットを外扉の上部に載置した状態で前記装飾ユニットと外扉とに跨る取付金具を備え、当該取付金具は前記装飾ユニットに退避した退避位置と前記装飾ユニットから進出する進出位置との間を移動自在であって、前記装飾ユニットを前傾姿勢に傾倒させた状態で退避位置に位置させた取付金具が、前記装飾ユニットを前傾姿勢から起立姿勢に移動させる過程で自重により進出位置に移動する態様で装飾ユニットに係止され、前記装飾ユニットを外扉の上部に載置する際、装飾ユニットを前傾姿勢に傾倒させた状態で取付金具を退避位置に移動させた上で、当該装飾ユニットを前傾姿勢から起立姿勢に移動させることにより取付金具が自重により進出位置に移動して装飾ユニットと外扉とに跨るようにしたことによって、前記装飾ユニットを外扉の上部に載置する際に装飾ユニットを前傾姿勢に傾倒させた状態で取付金具を退避位置に移動させた上で、当該装飾ユニットを前傾姿勢から起立姿勢に移動させて外扉の上部に載置すれば取付金具が自動的に退避位置から進出位置に移動して装飾ユニットと外扉とに跨り、これによって装飾ユニットの前方側への移動が取付金具によって阻止されるので、装飾ユニットは前後方向への移動が装飾部材および取付金具により阻止される。つまり、装飾ユニットは、装飾ユニットを外扉の上部に載置した状態で外扉に仮止めされる。したがって、外扉の上部に載置した装飾ユニットから手を離して放置しても装飾ユニットが脱落することがないので、作業員一己で装飾ユニットを装着することができるという効果を有する。
【図面の簡単な説明】
【０００８】
【図１】本発明の実施の形態１である自動販売機の全体構成を示す正面図である。
【図２】図１の外扉の上部に敷設された装飾ユニットおよび保護部材を示し、（ａ）は外扉の上部に装飾ユニットを敷設した状態の前方右斜め上から見た斜視図、（ｂ）は（ａ）の背面斜視図である。
【図３】分解した装飾ユニットを外扉とともに示す分解斜視図である。
【図４】図２の（ｂ）の取付金具を示す斜視図である。
【図５】装飾ユニットの組立方法を説明する図であり、（ａ）はその前方右斜め上から見た斜視図、（ｂ）はその背面斜視図である。
【図６】分解した装飾ユニットの一部を拡大して前面下方から見た斜視図である。
【図７】装飾ユニットを外扉に上部への敷設方法を説明する背面左斜め上方から見た斜視図である。
【図８】広告表示部材の装着方法を説明するための前方斜め下から見た斜視図である。
【図９】本発明の実施の形態２である自動販売機に係る装飾ユニットを示す背面斜視図である。
【図１０】図９の取付金具を示す斜視図である。
【発明を実施するための形態】
【０００９】
以下、本発明における実施の形態である自動販売機を図面に基づいて説明する。なお、本発明はこの実施の形態により限定されるものではない。
【００１０】
図１は本発明の実施の形態１である自動販売機の全体構成を示す。図において、１は本体キャビネットの前面に不図示のヒンジ機構により開閉自在に軸支された片開き式の外扉である。図では外扉１に隠れて見えない前記本体キャビネットは前面が開放した断熱筐体として形成されている。この本体キャビネット１の庫内は不図示の断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネットの前面開口は片開き式の断熱内扉により閉塞されている。
【００１１】
前記外扉１の前面の上部域には透明パネル３で覆われ商品展示室２が設けられている。この商品展示室２内には上下方向に複数段、この実施の形態では上下方向に３段に配設された商品展示台（不図示）に商品見本４が載置され、この商品見本４に対応して透明パネル３の前面には商品選択ボタン５が配設されている。前記外扉１の略中央部における正面視右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉１における高さ方向略中央であって右端側（反ヒンジ機構側）にはシリンダー錠付きの主ロック装置７が設けられ、前記外扉１における下部領域には硬貨返却口１ａ、商品販売口１ｂが設けられている。そしてまた、外扉１の正面視左側領域には外扉１の下端から上端まで曲線により連続するとともに上下端部側の幅が広く中央付近の幅が狭い帯状装飾体８が敷設されている。この帯状装飾体８は合成樹脂製になり、外扉１の表面（前面）に対して前方側に突出する態様であたかも三次元的に浮き出ているような印象を与えるよう立体的に形成されている。
【００１２】
前記外扉１の上部にはモジュール部品としての装飾ユニット９が着脱自在に敷設されている。前記外扉１の上部に敷設された状態の装飾ユニット９の正面側と背面側から見た拡大斜視図を図２の（ａ），（ｂ）に示し、前記装飾ユニット９の分解斜視図を図３に示している。前記装飾ユニット９は図２に示すように、外扉１の横幅に一致した幅を有する薄板鋼板製の装飾部材９１、外扉１の上面に固着される薄板鋼板製の取付部材９２、および前記装飾部材９１に前方から被せられる態様の透明な合成樹脂製の保護部材１０とからなる。なお、図２の（ａ）における３０は後述するように保護部材１０と装飾部材９１との間に配設される広告表示部材である。また、図２の（ｂ）における２０は取付部材９２に上下方向にスライド移動自在に係止された取付金具、２１は保護部材１０の固定具、２２は外扉１と取付部材９２とに跨り、両者を固着する固定金具である。
【００１３】
前記装飾部材９１は、図３に示すように水平線に沿う下辺（下縁）に対して上辺（上縁）が湾曲し、その周縁を後方に折り曲げて薄い箱型形状に形成されている。この装飾部材９１は下辺（下縁）が商品展示室２の上端と前後方向に重なるように外扉１の表面に配設されるものであり、正面視右端側の上下方向の長さｔ０が外扉１に形成された商品展示室２の上端から外扉１の上縁までの寸法ｔ１と略同一である一方、左端側の上下方向の長さは寸法ｔ１よりも大きく外扉１の上端よりも上方に突出するように定められ、その正面視左端側には前記帯状装飾体８の延長軌跡に一致する形状に形成された帯状装飾体部９１１、この帯状装飾体部９１１に連なる扉頭部９１２が形成されている。また、装飾部材９１の下縁には図５の（ｂ），図６に示すように切欠９１３が形成されている。
【００１４】
前記取付部材９２は外扉１の横幅よりも短く、その上下方向の中間部が外扉１の上部扉枠１Ａ（図３参照）に載置される載置部９２Ａとして折り曲げられ、この載置部９２Ａは上部扉枠１Ａに腰掛けるように載置される。この取付部材９２の上端部には前方に向けて折り曲げられた３個の固定片９２１が前記装飾部材９１の湾曲面に沿うように形成されている。この固定片９２１の前方側への突出長さは装飾部材９１の上縁（後方を向くように折り曲げられている）の長さより短く定められている。また、取付部材９２の下端は前方を向くように折り曲げられて下縁９２Ｂとして形成され、この下縁９２Ｂの前端にはフック状の挟持部９２２が左右方向に３個形成されている。この挟持部９２２は、図６に拡大して示すように、前記下縁９２Ｂよりも一段下方に下がった状態のフック形状をなしている。この挟持部９２２には、前述した装飾部材９１の下縁に形成した切欠９１３が嵌め込まれるものである。また、前記下縁９２Ｂの略中央部には、図３，図５の（ｂ）に示すように、後方を向いたフック状の係合片９２３が切り起しにより形成され、この係合片９２３のフック先端は後方斜め上方に延在している。この係合片９２３に対応して外扉１の商品展示室２を形成する窓枠の上縁には嵌合穴２Ａ（図３参照）が形成されているものである。
【００１５】
そして、取付部材９２の上部領域の背面には、図２の（ｂ）に示すように、略Ｚ字状に形成された取付金具２０がスライド移動自在に係止されている。この取付金具２０は、図４に拡大して示すように、上方の脚片には上下方向に延在する左右一対の長穴２０１，２０１が形成されるとともに左右一対の長穴２０１，２０１の間に上下一対のねじ挿通穴２０２，２０２が形成される一方、他方の脚片には左右一対のねじ挿通穴２０３，２０３が形成されている。前記取付金具２０は左右一対の長穴２０１，２０１にそれぞれ挿通される段付きねじＳ０を介して取付部材９２にスライド移動自在に取付けられている。
【００１６】
前記保護部材１０は装飾部材９１よりも一回り大きく、装飾部材９１の左右端部をカットした形状の縦断面コ字状に形成されている。この保護部材１０の上縁１１には、３個の固定用のスリット１２（図３参照、）が形成されている。また、保護部材１０の下縁１３には、図５の（ｂ），図６に示すように、切欠１４および左右方向に延在するスリット１５が形成されている。前記切欠１４は装飾部材９１の切欠９１３と同様に、取付部材９２の挟持部９２２に嵌め込まれるものであり、３個の挟持部９２２に対応して設けられているものである。また、保護部材１０の下縁１３に左右方向に延在するように形成したスリット１５は後述する広告表示部材３０を抜き差しするものである。
【００１７】
前記装飾ユニット９の組立について説明すると、まず、箱型形状の装飾部材９１の背後を塞ぐように取付部材９２を組付ける。この場合、取付部材９２の下部に設けた挟持部９２２を装飾部材９１の切欠９１３に嵌め込んだ上で取付部材９２の固定片９２１を装飾部材９１の上縁の内側に潜り込ませる。前述したように、取付部材９２の下部に設けた挟持部９２２を装飾部材９１の切欠９１３に嵌め込むと装飾部材９１の下縁と取付部材９２の下縁９２Ｂとが重なり合い、装飾部材９１および取付部材９２の相互に重なる合う下縁にそれぞれ形成したリベット挿通孔にリベットＲ１（図６参照）を挿通させることにより両者を固定する。同様に、装飾部材９１の上縁と取付部材９２の固定片９２１にそれぞれ形成したリベット挿通孔にリベットＲ２，Ｒ３，Ｒ４（図３参照）を挿通させることにより両者を固着する。これにより装飾部材９１と取付部材９２とが一体化される。
【００１８】
このように装飾部材９１と取付部材９２とを一体化した後、前記装飾部材９１の前方から保護部材１０を装着する。この場合、保護部材１０の下縁１３に形成した切欠１４（図５の（ｂ）、図６参照）を取付部材９２の下縁９２Ｂに形成した挟持部９２２に嵌合させる。なお、前記挟持部９２２には装飾部材９１の下縁の切欠９１３も嵌合するように構成されているので、前記挟持部９２２は装飾部材９１の下縁と保護部材１０の下縁１３を挟み込むことができるような寸法に定められているものである。次いで、装飾部材９１を覆う保護部材１０の上縁１１に形成したスリット１２にＬ字状に折り曲げられた固定具２１の一方の脚片を差し込む。ここで、保護部材１０は装飾部材９１よりも一回り大きく形成されており、装飾部材９１の上縁を覆う保護部材１０の上縁１１は取付部材９２よりも背面側まで延在しており、当該上縁１１における取付部材９２の背面側に位置する箇所に前記スリット１２が形成されている。このため、前記スリット１２に差し込まれた固定具２１の一方の脚片は取付部材９２の背後に位置しており、前記固定具２１の一方の脚片を取付部材９２にねじＳ（図５参照）によりねじ止めすることにより前記保護部材１０が保持される。これにより、装飾部材９１と取付部材９２および保護部材１０からなる装飾ユニット９がモジュール部品として組立られる。なお、装飾部材９１の前面と保護部材１０の背面との間には保護部材１０の下縁１３に形成したスリット１５の幅と略同一の隙間が形成されてなるものである。
【００１９】
次に、モジュール部品として一体化された装飾ユニット９の外扉１への組付けについて図７を参照して説明する。なお、外扉１の上面の上部扉枠１Ａは背面側に向けて下る一段の階段状に形成されている。また、外扉１は開放した状態にあり、作業員は外扉１の前面側にいるものとする。
【００２０】
前記装飾ユニット９を外扉１の上部に敷設するにあたり、装飾ユニット９を前傾姿勢（図示矢印Ｑ方向に前傾させた姿勢）の状態とする。この場合、装飾ユニット９を前傾姿勢に傾ける角度は、少なくとも取付部材９２に段付きねじＳ０により係止された取付金具２０が上限位置（退避位置）に維持される、つまり、上限位置（退避位置）までスライドさせた取付金具２０が下降することがない角度（取付金具２０と取付部材９２との摩擦抵抗にもよるが、例えば４５度の傾斜角）である。このように、装飾ユニット９を前傾姿勢に傾けた状態で、取付部材９２の下縁９２Ｂから後方を向いたフック状の係合片９２３のフック先端を外扉１の商品展示室２を形成する窓枠の上縁に形成した嵌合穴２Ａ（図３参照）に差し込む。この場合、係合片９２３のフック先端は装飾ユニット９が起立状態では後方斜め上方を向くように形成されており、装飾ユニット９を前傾姿勢とすることにより係合片９２３のフック先端が略鉛直方向を向くので、装飾ユニット９を前傾姿勢の状態で上方へ移動（図示矢印Ｐ）させることによって係合片９２３のフック先端が外扉１における窓枠の嵌合穴２Ａに挿入される。前記係合片９２３のフック先端が嵌合穴２Ａに挿入されるように装飾ユニット９を前傾姿勢の状態で上方へ移動させつつ装飾ユニット９を後方側に移動させると前記係合片９２３が嵌合穴２Ａに嵌合し、この状態で装飾ユニット９を起立姿勢に移動させる（図示矢印Ｒ）。そうすると、取付部材９２の載置部９２Ａが前記外扉１の上面（階段状の上部扉枠１Ａの上段部）に腰掛けるようになる。なお、取付部材９２の下縁９２Ｂから載置部９２Ａまでの長さは前記係合片９２３を嵌合穴２Ａに嵌合させた状態で矢印Ｒ方向に移動させた際にも載置部９２Ａが外扉１の上部前縁と当接することなく乗り越えることができるような長さに定められているものである。
【００２１】
上述のように、装飾ユニット９を矢印Ｒの方向に移動を開始してから取付部材９２の載置部９２Ａが前記上部扉枠１Ａの上段部に腰掛けるまで移動させる途中において上限位置（退避位置）までスライドしている取付金具２０は自重により下降を開始する。そして、取付部材９２の載置部９２Ａが前記外扉１の上面（階段状の上部扉枠１Ａの上段部）に腰掛けた状態で取付金具２０は取付部材９２と外扉１（階段状の上部扉枠１Ａ）とに跨るように下限位置（進出位置）まで下降する。このように、取付部材９２と外扉１（階段状の上部扉枠１Ａ）とに跨るように下限位置（進出位置）まで下降した取付金具２０は、取付部材９２の載置部９２Ａが外扉１の上面（階段状の上部扉枠１Ａの上段部）に腰掛けた状態の装飾ユニット９の前方への移動を阻止することとなる（装飾ユニット９の後方への移動は装飾部材９１の下縁が商品展示室２まで延在するように形成されていることにより阻止されている）。このため、作業員が装飾ユニット９から手を離しても装飾ユニット９は外扉１の上面に載置した状態から脱落することはない。つまり、下限位置（進出位置）まで下降した取付金具２０によって装飾ユニット９は外扉１の上面に載置された状態に仮止めされる。そこで、作業員は装飾ユニット９を前傾姿勢から起立姿勢に移動させて外扉１の上部に載置して仮止めした上で、外扉１の背面に回り込む。そして、取付金具２０のねじ挿通穴２０２，２０３（図４参照）にねじを挿入して外扉１（階段状の上部扉枠１Ａ）に螺着する。次いで、固定金具２２を取付部材９２と外扉１（階段状の上部扉枠１Ａ）とに跨るように配設した上でねじにより螺着する。これにより装飾ユニット９の外扉１の上部への敷設が完了する。上述したように、装飾ユニット９を前傾姿勢から起立姿勢に移動させて外扉１の上部に載置した際、装飾ユニット９が取付金具２０により仮止めされるので、作業員は外扉側から装飾ユニット９を外扉１の上面に載置した上で、装飾ユニット９から手を離して外扉の背面に回り込むことができる。したがって、作業員一己により装飾ユニット９を外扉１の上部に敷設することが可能である。
【００２２】
ここで、装飾ユニット９を前傾姿勢から起立姿勢とするために矢印Ｒの方向に移動させる途中において取付金具２０は上限位置（退避位置）から自重により下降を開始するので、装飾ユニット９が起立姿勢に達するまでの間に下降する取付金具２０の下端（他方の脚片の先端）が外扉１の階段状の上部扉枠１Ａの上段部に当接する場合がある。この場合、取付金具２０の下降が一時的に停止するが、矢印Ｒ方向への移動により取付金具２０の下端が上部扉枠１Ａの上段部を滑って移動した後、前記上部扉枠１Ａの上段部を乗り越えると再び下降を開始して下限位置（進出位置）まで下降するものである。
【００２３】
前述したように、装飾ユニット９を外扉１の上部に敷設した後、装飾ユニット９における装飾部材９１と保護部材１０との間には、図８に示すように、広告表示部材３０が装着される。前記広告表示部材３０は可撓性を有するプラスチック成形品としてなり、広告文字，図柄，ロゴタイプなどを表示する広告表示部３１と、この広告表示部３１の下端を直角に折り曲げて形成された係止部３２を備えてなる。この広告表示部材３０は保護部材１０の下縁１３に形成された左右方向に延在するスリット１５を介して保護部材１０と装飾部材９１との間に広告表示部３１を挿入しつつ、前記係止部３２を取付部材９２の下縁９２Ｂに形成した挟持部９２２に差し込む。ここで、広告表示部材３０の係止部３２はその自由端が、広告表示部材３０を装飾ユニット９に装着した状態で取付部材９２の挟持部９２２の先端部分にまで延在する長さを有し、広告表示部材３０の広告表示部３１を保護部材１０のスリット１５に差し込む最終段階において広告表示部３１の下端側を前方側に撓ませつつ、係止部３２の自由端を取付部材９２の挟持部９２２に圧入する。この場合、挟持部９２２には装飾部材９１と保護部材１０の下縁が嵌め込まれて挟持されており、係止部３２の全体を圧入するには挟持部９２２を広げるような労力を必要とするのであるが、この実施の形態においては係止部３２の自由端の一部のみを圧入するように定められているので、挟持部９２２に対して係止部３２を容易に差し込むことができる。このように広告表示部材３０の係止部３２を取付部材９２の挟持部９２２に係止させることにより広告表示部材３０の脱落が防止される。また、広告表示部材３０の交換に際しては前記係止部３２を挟持部９２２から引き外した上で広告表示部３１を保護部材１０のスリット１５から引き抜けばよい。
【００２４】
また、装飾ユニット９の装飾部材９１の表面（前面）における中央部分９１ａ（図３参照）の領域には商品展示室２の背面を形成する中扉（不図示）と同様に白色塗装が施されているものである。このように、商品展示室２の色彩と装飾部材９１の中央部分９１ａの色彩が同一であって、かつ、装飾部材９１の下縁が商品展示室２の上端にまで延在していることによって宛ら商品展示室２が拡大された印象を与えることができる。すなわち、装飾部材９１の中央部分９１ａと商品展示室２の色彩が同一であった場合にも装飾部材９１の下縁が商品展示室２の上端まで延在していない場合には外扉１に画成された商品展示室２と装飾部材９１との間が外扉１（商品展示室２の周囲のフレームであって商品展示室２の色彩とは異なる色彩が施されている）により区切られることから装飾部材９１を商品展示室２の一部として印象付けることができない。かかる点、装飾部材９１の色彩を商品展示室２に施された色彩と同一とし、かつ、装飾部材９１を商品展示室２にまで延在させたことによって前述したように外扉１に画成された商品展示室２が装飾部材９１の領域まで拡大したような印象を与えることができる。したがって、従来においては外扉１に画成された商品展示室２内に設けていた広告文字，図柄，ロゴタイプなどの表示媒体を装飾部材９１の領域に移動（この実施の形態では前記表示媒体を表示した広告表示部材３０が相当する）させることができる。この場合、装飾部材９１は専ら広告文字，図柄，ロゴタイプなどの表示媒体の表示領域として使用できることから商品展示室２内に設けていた表示媒体よりも格段に大きく表示することができるので絶大な宣伝効果を得ることが可能となり、また、外扉１に画成された商品展示室２は広告文字，図柄，ロゴタイプなどの表示媒体の制約を受けることなく専ら商品見本４の展示に使用することができるものである。
【００２５】
そして、装飾部材９１の帯状装飾体部９１１は外扉１に敷設した帯状装飾体８の延長軌跡の形状、および同一の色彩が施されており、帯状装飾体８と一体である印象、つまり、帯状装飾体８を延長させて表示させることができる。したがって、曲線模様であって三次元的に浮き出すような印象を与える帯状装飾体８をより一層際立たせることが可能となり、他の自動販売機との差別化を図ることができる。なお、装飾部材９１の表面（前面）における右端部分９１ｂ（図３参照）、および前記帯状装飾体部９１１に連なる扉頭部９１２には外扉１の表面の塗装色と同一の色により塗装されているものである。このように装飾ユニット９を構成する装飾部材９１には他の自動販売機に対して新たな外観を与える意匠が施されている。
【００２６】
なお、装飾ユニット９は現地（設置場所）において取付金具２０，固定金具２２のねじを緩めることによって自動販売機（外扉１）から取り外すことができるので、新たな装飾ユニット９と交換することもできる。さらに、既設の自動販売機にも装飾ユニット９を追加装備（後付）することもできるものである。
【００２７】
次に、本発明の実施の形態２の自動販売機について図９および図１０を用いて説明する。図９はこの実施の形態２における装飾ユニット９の背面斜視図、図１０は装飾ユニット９を外扉１の上部に載置した状態で仮止めする取付金具２０Ａの斜視図である。この実施の形態２における自動販売機が実施の形態１の自動販売機と相違する点は、装飾ユニット９を外扉１の上部に載置した状態で仮止めする取付金具２０Ａのみであり、その他の構成は実施の形態１の自動販売機と同一であるので、実施の形態１の自動販売機と同一のものには同一の符号を付してその説明は省略する。
【００２８】
図９において、２０Ａは、装飾ユニット９を構成する取付部材９２における上部領域の背面にスライド移動自在に係止された取付金具である。この取付金具２０Ａは、図１０に示すように、取付金具２０Ａの上方の脚片に上下方向に延在する上下一対の長穴２０Ａ１，２０Ａ１が形成される一方、他方の脚片には左右一対のねじ挿通穴２０Ａ２，２０Ａ２が形成されている。前記取付金具２０Ａの上下一対の長穴２０Ａ１，２０Ａ１は実施の形態１の取付金具２０における上下一対のねじ挿通穴２０２，２０２（図４参照）と重なるように形成されているものであり、上下一対の長穴２０Ａ１，２０Ａ１の上端箇所が前記取付金具２０のねじ挿通穴２０２，２０２と一致している。前記取付金具２０Ａは、上下一対の長穴２０Ａ１，２０Ａ１にそれぞれ挿通され、かつ、取付部材９２に螺着されるねじＳ１，Ｓ１を介して取付部材９２に係止され、ねじＳ１，Ｓ１を緩めることによりスライド移動自在である。
【００２９】
この実施の形態２における取付金具２０Ａは、装飾ユニット９を外扉１へ敷設する際にねじＳ１，Ｓ１を緩めて取付金具２０Ａを上下方向にスライド移動自在とした上で取付金具２０Ａを上限位置（退避位置）まで引き上げた状態とする点以外は実施の形態１と同様であるので、ここでは装飾ユニット９の外扉１の上部への敷設方法の説明は省略する。この実施の形態２における取付金具２０Ａによれば、実施の形態１における取付金具２０に対して段付きねじＳ０を削減することができる。
【００３０】
なお、上記各実施の形態では、取付金具２０，２０Ａを上限位置（退避位置）と下限位置（進出位置）との間をスライド移動自在としたものについて説明したが、取付金具２０，２０Ａを回動させるようにすることもできる。例えば、図１０に示した２つのねじＳ１，Ｓ１のうちの上方のねじＳ１のみを用い、長穴２０Ａ１をねじＳ１が挿通される丸穴とし、前記ねじＳ１を中心として取付金具２０Ａを回動させるようにすることもできる。
【００３１】
前述したとおり本発明によれば、本体キャビネットの前面を開閉する片開き式の外扉１を備えた自動販売機であって、正面視矩形状の自動販売機に対して新たな外観を与える意匠が施された装飾ユニット９を前記外扉１の上部に着脱自在に取付けてなる自動販売機において、前記装飾ユニット９は少なくとも前記外扉１の前面に位置して商品展示室２にまで延在する装飾部材９１を備え、前記外扉１の背面側であって前記装飾ユニット９を外扉１の上部に載置した状態で前記装飾ユニット９と外扉１とに跨る取付金具２０，２０Ａを備え、当該取付金具２０，２０Ａは前記装飾ユニット９に退避した退避位置と前記装飾ユニット９から進出する進出位置との間を移動自在であって、前記装飾ユニット９を前傾姿勢に傾倒させた状態で退避位置に位置させた取付金具２０，２０Ａが、前記装飾ユニット９を前傾姿勢から起立姿勢に移動させる過程で自重により進出位置に移動する態様で装飾ユニット９に係止され、前記装飾ユニット９を外扉１の上部に載置する際、装飾ユニット９を前傾姿勢に傾倒させた状態で取付金具２０，２０Ａを退避位置に移動させた上で、当該装飾ユニット９を前傾姿勢から起立姿勢に移動させることにより取付金具２０，２０Ａが進出位置に移動して装飾ユニット９と外扉１とに跨るようにしたことによって、前記装飾ユニット９を外扉１の上部に載置する際に装飾ユニット９を前傾姿勢に傾倒させた状態で取付金具２０，２０Ａを退避位置に移動させた上で、当該装飾ユニット９を前傾姿勢から起立姿勢に移動させて外扉１の上部に載置すれば取付金具２０，２０Ａが自動的に退避位置から進出位置に移動して装飾ユニット９と外扉１とに跨り、これによって装飾ユニット９の前方側への移動が取付金具２０，２０Ａによって阻止されるので、装飾ユニット９は前後方向への移動が装飾部材９１および取付金具２０，２０Ａにより阻止される。つまり、装飾ユニット９は、装飾ユニット９を外扉１の上部に載置した状態で外扉１に仮止めされる。したがって、外扉１の上部に載置した装飾ユニット９から手を離して放置しても装飾ユニット９が脱落することがないので、作業員一己で装飾ユニットを装着することができるという効果を有する。
【符号の説明】
【００３２】
１…外扉、２…商品展示室、３…透明パネル、４…商品見本、５…商品選択ボタン、６…接客部、８…帯状装飾体、９…装飾ユニット、１０…保護部材、１４，９１３…切欠、２０，２０Ａ…取付金具、２２…固定金具、３０…広告表示部材、９１…装飾部材、９２…取付部材、２０１，２０Ａ１…長穴、９１１…帯状装飾体部、９２２…挟持部、Ｓ０…段付きねじ、Ｓ１…ねじ。
【図１】
2012160037.tif 000003
【図２】
2012160037.tif 000004
【図３】
2012160037.tif 000005
【図４】
2012160037.tif 000006
【図５】
2012160037.tif 000007
【図６】
2012160037.tif 000008
【図７】
2012160037.tif 000009
【図８】
2012160037.tif 000010
【図９】
2012160037.tif 000011
【図１０】
2012160037.tif 000012